(57)【特許請求の範囲】
【請求項１】
機器ケースの一側部に、その一部が前記機器ケースの上面から突出するように配置された回転操作可能な第１回転操作体と、
前記第１回転操作体の後方に、その一部分が前記一側部の側面側に露出するように配置し、かつ前記第１回転操作体の突出部分を片手の親指により上下方向に回転操作した際に、前記露出部分を、前記親指以外の他の指によって水平方向に回転操作することが可能な位置に配置された回転操作可能な第２回転操作体と、
前記第１回転操作体を前記機器ケースに対して取り付けるための第１取付片を有する第１取付部材と、
前記第２回転操作体を前記機器ケースに対して取り付けるための第２取付片を有する第２取付部材と
を備え、前記第１取付片と前記第２取付片とが前記機器ケースの同一平面上に取り付けられているスイッチ装置。
【請求項２】
請求項１に記載のスイッチ装置において、前記第１取付片と前記第２取付片とのうち、少なくとも一方には前記第１回転操作体と前記第２回転操作体との間隔を調整するための調整孔が設けられているスイッチ装置。
【請求項３】
請求項１及び請求項２のいずれかに記載のスイッチ装置において、前記第１回転操作体は前記機器ケースの上面に対して上下方向に回転する第１回転操作部材を有し、この第１回転操作部材の操作面には、前記親指が配置する第１溝部が、前記親指の付け根側に向けて次第に深くなるように傾斜して形成されており、
前記第２回転操作体は前記機器ケースの上面と平行な水平方向に回転する第２回転操作部材を有し、この第２回転操作部材の操作面には、前記他の指が配置する第２溝部が、下側から上側に向けて次第に深くなるように傾斜して形成されているスイッチ装置。
【請求項４】
請求項１〜請求項３のいずれかに記載のスイッチ装置において、前記機器ケースの前記一側部における上側縁部には、前記片手の一部を位置規制するための位置規制部が設けられているスイッチ装置。
【請求項５】
請求項１〜請求項４のいずれかに記載のスイッチ装置において、前記第２回転操作部材は、その前記操作面の一部が前記機器ケースの前記一側部に設けられた切欠き部内に突出して前記機器ケースの外部に露出した状態で、前記機器ケースの上面と平行な水平方向に回転可能に配置されているスイッチ装置。
【請求項６】
請求項５に記載のスイッチ装置において、前記機器ケースの前記一側部に設けられた前記切欠き部には、この切欠き部内から突出した前記第２回転操作部材の前記操作面に沿って操作位置を表す凹凸形状の目盛部が設けられているスイッチ装置。
【請求項７】
楽器ケースの一側部に、その一部が前記楽器ケースの上面から突出するように配置された回転操作可能な第１回転操作体と、
前記第１回転操作体の後方に、その一部分が前記一側部の側面側に露出するように配置し、かつ前記第１回転操作体の突出部分を片手の親指により上下方向に回転操作した際に、前記露出部分を、前記親指以外の他の指によって水平方向に回転操作することが可能な位置に配置された回転操作可能な第２回転操作体と、
を有するスイッチ装置。
【発明の詳細な説明】
【技術分野】
【０００１】
この発明は、鍵盤楽器や弦楽器、管楽器などの楽器、音楽プレーヤなどの音響機器に用いられるスイッチ装置に関し、更に詳しくは楽音に効果を付与する回転式のスイッチ装置に関する。
【背景技術】
【０００２】
例えば、音楽プレーヤに用いられている回転式のスイッチ装置においては、特許文献１に記載されているように、機器ケースに回転軸を設け、この回転軸に回転操作部材を取り付け、この回転操作部材にピッチベンド用のスイッチ部を設け、このスイッチ部を押しながら回転操作部材を回転させてピッチベンド操作を行い、スイッチ部を押さずに回転操作部材を回転させてスクラッチ操作を行うように構成したものが知られている。
【先行技術文献】
【特許文献】
【０００３】
【特許文献１】特開２０１０−２３４０１２号公報
【０００４】
このような回転式のスイッチ装置では、回転操作部材が回転円板と基板支持板とを備えている。この場合、回転円板には貫通孔が設けられており、この貫通孔内にはキートップが設けられている。また、基板支持板にはスイッチ基板が設けられており、このスイッチ基板にはスイッチ部がキートップに対応して設けられている。
【０００５】
これにより、この種のスイッチ装置は、ピッチベンド操作を行うときに、キートップを押して回転操作部材のスイッチ部をオンさせた状態で回転操作部材を回転させ、またスクラッチ操作を行うときに、キートップを押さずに回転操作部材のスイッチ部をオフにした状態で回転操作部材を回転させるように構成されている。
【発明の概要】
【発明が解決しようとする課題】
【０００６】
しかしながら、このような回転式のスイッチ装置では、キートップを押して回転操作部材のスイッチ部をオンさせた状態で回転操作部材を回転させるピッチベンド操作と、キートップを押さずに回転操作部材のスイッチ部をオフにした状態で回転操作部材を回転させるスクラッチ操作とを、同時に行うことができないため、使い勝手が悪いという問題がある。
【０００７】
この発明が解決しようとする課題は、片手で２つのスイッチ操作を同時に行うことができるスイッチ装置を提供することである。
【課題を解決するための手段】
【０００８】
この発明は、機器ケースの一側部に、その一部が前記機器ケースの上面から突出するように配置された回転操作可能な第１回転操作体と、前記第１回転操作体の後方に、その一部分が前記一側部の側面側に露出するように配置し、かつ前記第１回転操作体の突出部分を片手の親指により上下方向に回転操作した際に、前記露出部分を、前記親指以外の他の指によって水平方向に回転操作することが可能な位置に配置された回転操作可能な第２回転操作体と、前記第１回転操作体を前記機器ケースに対して取り付けるための第１取付片を有する第１取付部材と、前記第２回転操作体を前記機器ケースに対して取り付けるための第２取付片を有する第２取付部材とを備え、前記第１取付片と前記第２取付片とが前記機器ケースの同一平面上に取り付けられているスイッチ装置である。
またこの発明は、楽器ケースの一側部に、その一部が前記楽器ケースの上面から突出するように配置された回転操作可能な第１回転操作体と、前記第１回転操作体の後方に、その一部分が前記一側部の側面側に露出するように配置し、かつ前記第１回転操作体の突出部分を片手の親指により上下方向に回転操作した際に、前記露出部分を、前記親指以外の他の指によって水平方向に回転操作することが可能な位置に配置された回転操作可能な第２回転操作体と、を有するスイッチ装置である。
【発明の効果】
【０００９】
この発明によれば、機器ケースの一側部に片手を当てると、その片手の親指を機器ケースの一側部における上面から突出した部分の第１回転操作体に対応させることができ、その片手の親指以外の他の指を機器ケースの一側部における側面側に露出した部分の第２回転操作体に対応させることができる。このため、片手で第１、第２の各回転操作体をそれぞれ個別に回転操作することができるので、片手で２つのスイッチ操作を同時に行うことができる。
【図面の簡単な説明】
【００１０】
【図１】この発明を鍵盤楽器に適用した一実施形態を示した平面図である。
【図２】図１に示された鍵盤楽器における上部ケースの左側に位置する側部の要部を示した拡大斜視図である。
【図３】図２に示された上部ケースの側部に配置される左手を示し、その左手の親指で第１回転操作体を上下方向に回転操作し、親指以外の他の指で第２回転操作体を水平方向に回転操作する際の各指の状態を示した図である。
【図４】図２に示された上部ケースの側部内に配置されたスイッチ装置を示した要部の拡大斜視図である。
【図５】図４に示されたスイッチ装置を上方から見た拡大平面図である。
【図６】図４に示されたスイッチ装置の第１回転操作体を示し、（ａ）はその拡大正面図、（ｂ）はその拡大平面図である。
【図７】図６（ａ）に示された第１回転操作体のＡ−Ａ矢視における拡大断面図である。
【図８】図６（ａ）に示されたスイッチ装置における第１回転操作部材のニュートラル状態を示した拡大正面図である。
【図９】図８に示された第１回転操作部材を正方向（時計回り方向）に回転させた状態を示した拡大正面図である。
【図１０】図４に示されたスイッチ装置の第２回転操作体を示し、（ａ）はその拡大正面図、（ｂ）はその拡大平面図である。
【図１１】図５に示されたスイッチ装置において、第１回転操作部材と第２回転操作部材との間隔を狭くした状態を示した拡大平面図である。
【図１２】この発明を鍵盤楽器に適用した一実施形態におけるスイッチ装置の変形例を示した要部の拡大斜視図である。
【発明を実施するための形態】
【００１１】
以下、図１〜図１１を参照して、この発明を電子鍵盤楽器に適用した一実施形態について説明する。
この電子鍵盤楽器は、図１および図２に示すように、楽器本体１を備えている。この楽器本体１は、上部ケース２と下部ケース３とを備え、これらの内部に鍵盤部４が設けられた構成になっている。
【００１２】
鍵盤部４は、図１に示すように、白鍵と黒鍵とからなる複数の鍵５を備えている。この複数の鍵５は、楽器本体１内に並列に配列された状態で、上下方向に回転するように構成されている。この場合、上部ケース２は、鍵盤部４の後方（図１では上辺側）に位置する箇所、および鍵５の配列方向（図１では左右方向）における鍵盤部４の両側部に位置する箇所において、下部ケース３上に設けられている。これにより、鍵盤部４は、その後端部を除いて、上部ケース２で覆われることなく上側に露出するように構成されている。
【００１３】
また、上部ケース２には、図１に示すように、スピーカ部６、表示部７、およびスイッチ部８が設けられている。スピーカ部６は、複数のスピーカ６ａ〜６ｃを備え、これらが上部ケース２の後部側における鍵５の配列方向の両側にそれぞれ設けられている。表示部７は、液晶表示パネルやＥＬ（エレクトロ・ルミネッセンス）表示パネルなどの平面型の表示パネルからなり、上部ケース２のほぼ中央部に配置され、鍵盤楽器に必要な各種の情報を電気光学的に表示するように構成されている。
【００１４】
スイッチ部８は、図１に示すように、電源スイッチ、音量スイッチ、音色スイッチ、ファンクションスイッチなどの鍵盤楽器に必要な各種のスイッチを備えているほか、図２に示すように、回転式のスイッチ装置１０をも備えている。また、このスイッチ部８は、図１に示すように、上部ケース２の上面に各種のスイッチが分散して設けられている。
【００１５】
この場合、回転式のスイッチ装置１０は、図１および図２に示すように、上部ケース２における鍵５の配列方向の片側（図１では左側）に位置する側部２ａに設けられている。この回転式のスイッチ装置１０は、鍵盤部４の各鍵５を押鍵操作して演奏している最中にスイッチ操作することにより、演奏中の楽音に効果を付与するためのものである。このスイッチ装置１０は、図１および図２に示すように、例えばピッチベンダ効果を付与する第１回転操作体１１と、モジュレーション効果を付与する第２回転操作体１２とを備えている。
【００１６】
第１回転操作体１１は、図２および図４に示すように、上部ケース２の左側に位置する側部２ａに設けられ、その上部の一部が上部ケース２における側部２ａの上面から突出し、この突出した一部を縦方向（上下方向）に回転操作されるように構成されている。第２回転操作体１２は、上部ケース２の左側に位置する側部２ａに、第１回転操作体１１の後側（図１では上辺側）に位置がずれた状態で設けられ、第２回転操作体１２の側部の一部が上部ケース２における側部２ａの側面側（図２では左側）に露出し、この露出した一部を上部ケース２の上面と平行な横方向（水平方向）に回転操作されるように構成されている。
【００１７】
この場合、第１回転操作体１１は、図２〜図４に示すように、上部ケース２における側部２ａの上面から突出した一部が演奏者の左手Ｈの親指Ｆ１によって縦方向（上下方向）に回転操作されてスイッチ動作するように構成されている。また、第２回転操作体１２は、上部ケース２における側部２ａの側面から突出した一部が演奏者の左手Ｈにおける親指Ｆ１以外の他の指Ｆ２（例えば人差し指）によって上部ケース２の上面と平行な横方向（水平方向）に回転操作されてスイッチ動作するように構成されている。
【００１８】
すなわち、第２回転操作体１２は、図２〜図４に示すように、第１回転操作体１１が上部ケース２における側部２ａの上面から突出した一部を左手Ｈの親指Ｆ１により上下方向に回転操作する際に、第２回転操作体１２が上部ケース２における側部２ａの側面から突出した一部を親指Ｆ１以外の他の指Ｆ２によって水平方向に回転操作することが可能な位置に配置されている。
【００１９】
ところで、第１回転操作体１１は、図４〜図７に示すように、第１ロータリースイッチ１３、第１回転操作部材１４、および第１ばね部材１５を備えている。また、第２回転操作体１２も、第１回転操作体１１と同様、第２ロータリースイッチ１６、第２回転操作部材１７、および第２ばね部材（図示せず）を備えている。この第１回転操作体１１と第２回転操作体１２とは、その回転方向が異なる以外は、両者ともほぼ同じ構成になっている。
【００２０】
ここで、まず、第１回転操作体１１について説明する。この第１回転操作体１１の第１ロータリースイッチ１３は、図６および図７に示すように、スイッチ本体２０と、このスイッチ本体２０に回転可能に取り付けられたスイッチ軸２１とを備え、スイッチ本体２０がスイッチ軸２１の回転動作の変化を電気的に検出し、その検出信号を出力するように構成されている。
【００２１】
この第１ロータリースイッチ１３は、図５〜図７に示すように、スイッチ本体２０が第１取付部材２２に取り付けられ、この第１取付部材２２によって上部ケース２の左側に位置する側部２ａ内の下部ケース３上に取り付けられるように構成されている。また、この第１ロータリースイッチ１３は、図７に示すように、そのスイッチ軸２１に第１回転操作部材１４が取り付けられるように構成されている。
【００２２】
これにより、第１回転操作部材１４は、図５〜図７に示すように、第１ロータリースイッチ１３と共に第１取付部材２２によって上部ケース２に対して取り付けられ、この状態で第１ロータリースイッチ１３のスイッチ軸２１を中心にスイッチ軸２１と共に回転するように構成されている。
【００２３】
第１取付部材２２は、図５および図６に示すように、第１ロータリースイッチ１３を上部ケース２の左側に位置する側部２ａ内の下部ケース３上に取り付けるためのものである。この第１取付部材２２は、第１ロータリースイッチ１３のスイッチ本体２０が取り付けられるスイッチ取付部２２ａと、このスイッチ取付部２２ａから下側に延出された延出部２２ｂと、楽器本体１の下部ケース３に取り付けられる取付片２２ｃとを備え、これらが金属板によって一体に形成されている。
【００２４】
この場合、スイッチ取付部２２ａの中間部には、第１ロータリースイッチ１３のスイッチ軸２１が挿入する軸挿入孔（図示せず）が設けられている。また、延出部２２ｂの下端部には、図６〜図８に示すように、第１回転操作部材１４側（図７では左側）に向けて突出したばね固定部２２ｄが設けられている。
【００２５】
また、第１回転操作部材１４は、図２、図４〜図７に示すように、上部ケース２の側部２ａの上面に設けられた長方形状の開口部２ｂからその上方に一部が露出するほぼ半円形状の操作本体部２３と、この操作本体部２３の回転中心に設けられて第１ロータリースイッチ１３のスイッチ軸２１が取り付けられる円筒部２４と、操作本体部２３に設けられて第１ばね部材１５を押圧操作するばね操作部２５とを備え、これらが合成樹脂によって一体に形成されている。
【００２６】
この場合、操作本体部２３は、図２、図４〜図７に示すように、その上部側に位置するほぼ半分程度が上部ケース２の側部２ａの上面に設けられた開口部２ｂから上方に突出し、この状態で第１ロータリースイッチ１３のスイッチ軸２１が取り付けられる円筒部２４を中心に上下方向に回転するように構成されている。
【００２７】
円筒部２４は、図７に示すように、操作本体部２３の回転中心に設けられ、その内部に第１ロータリースイッチ１３のスイッチ軸２１が挿入して取り付けられると共に、その外周面に第１ばね部材１５が取り付けられるように構成されている。この場合、円筒部２４の内部には、図７および図８に示すように、キー部２４ａが軸方向に沿って設けられている。
【００２８】
これに伴って、第１ロータリースイッチ１３におけるスイッチ軸２１の外周面には、図７に示すように、キー部２４ａに対応する切欠き部２１ａが軸方向に沿って設けられている。これにより、第１ロータリースイッチ１３のスイッチ軸２１は、図７および図８に示すように、その切欠き部２１ａが円筒部２４内のキー部２４ａに対応した状態で、円筒部２４内に挿入されて嵌着することにより、第１回転操作部材１４と共に一体的に回転するように構成されている。
【００２９】
また、第１回転操作部材１４における円筒部２４の外周面には、図７および図８に示すように、後述する第１ばね部材１５に対する摩擦抵抗を軽減するための多数の凸部２４ｂが設けられている。また、この第１回転操作部材１４の外周部は、図７に示すように、外周壁部に形成されている。この外周壁部は、操作本体部２３の外周部から軸方向における円筒部２４と同じ方向（図７では右方向）に向けて突出した状態で設けられている。この外周壁部の外周面には、操作面２６が形成されている。
【００３０】
この操作面２６は、図７に示すように、第１回転操作部材１４の軸方向における突出長さが、円筒部２４とほぼ同じ長さで形成されている。また、この操作面２６である外周面の最上部には、図７および図８に示すように、第１回転操作部材１４を親指Ｆ１の指先で回転操作する際に、その指先を位置規制するための第１溝部２６ａが親指Ｆ１の付け根側（図７では右側）に向けて次第に深くなるように傾斜して形成されている。また、この操作面２６には、指先が滑るのを防ぐための滑り止め用の凹凸部２６ｂが設けられている。
【００３１】
さらに、第１回転操作部材１４の操作本体部２３には、図７および図８に示すように、その下側に延出された延出部２３ａが形成されており、この操作本体部２３の延出部２３ａには、ばね操作部２５が円筒部２４の軸方向において円筒部２４と同じ方向に向けて突出して設けられている。このばね操作部２５は、長方形状の平板であり、第１回転操作部材１４の回転方向における長さ（幅）が、これに対応する方向における第１取付部材２２のばね固定部２２ｄの長さとほぼ同じか、それよりも少し短い長さで形成されている。
【００３２】
一方、第１ばね部材１５は、図７および図８に示すように、コイル状の捻じりばねであり、第１回転操作部材１４の円筒部２４の外周面に、その径方向に変位可能（伸縮可能）な状態で巻き付けられ、その両端部１５ａ、１５ｂが、第１回転操作部材１４のばね操作部２５の両側を通り抜けて、第１取付部材２２の延出部２２ｂに設けられたばね固定部２２ｄの両側に配置されるように構成されている。
【００３３】
この場合、第１取付部材２２のばね固定部２２ｄは、図７に示すように、第１取付部材２２の延出部２２ｂの下端部から第１回転操作部材１４の下端部側に向けてほぼ水平に延び、この延びた先端部（図７では左端部）がばね操作部２５の下側に位置するように構成されている。
【００３４】
これにより、第１取付部材２２のばね固定部２２ｄは、図７および図８に示すように、第１回転操作部材１４のばね操作部２５の下側に位置し、この状態でばね固定部２２ｄの両側に第１ばね部材１５の両端部１５ａ、１５ｂが配置されることにより、第１ばね部材１５の両端部１５ａ、１５ｂによって弾力的に挟まれるように構成されている。
【００３５】
また、この第１ばね部材１５は、図８および図９に示すように、第１回転操作部材１４に負荷を付与するものであり、第１回転操作部材１４が正方向（図９では時計回り方向）と逆方向（図９では反時計回り方向）とのいずれかの方向に回転する際に、ばね操作部２５の回転方向側の端部によって第１ばね部材１５の両端部１５ａ、１５ｂの一方が押し広げられることにより、第１回転操作部材１４に付与される負荷を第１回転操作部材１４の回転に応じて徐々に大きくするように構成されている。
【００３６】
また、この第１ばね部材１５は、図８に示すように、第１回転操作部材１４がいずれの方向にも回転しない中立状態（ニュートラル状態）のときに、第１回転操作部材１４に付与される負荷が最も小さくなるように構成されている。これにより、第１回転操作部材１４は、中立状態（ニュートラル状態）から回転を開始する際に軽く回転し、回転が進むに伴って徐々に重くなるように構成されている。
【００３７】
この場合、第１回転操作部材１４は、図８に示すように、第１回転操作部材１４がいずれの方向にも回転しない中立状態（ニュートラル状態）のときに、第１回転操作部材１４の操作面２６の中間部が上部ケース２の側部２ａにおける開口部２ｂの中間部に位置し、この状態で操作面２６および操作本体部２３の各上側半部が上部ケース２の側部２ａの上側に突出するように構成されている。
【００３８】
また、この第１回転操作部材１４は、図８に示すように、第１回転操作部材１４がいずれの方向にも回転しない中立状態（ニュートラル状態）のときに、第１回転操作部材１４の操作面２６に設けられた第１溝部２６ａが、上部ケース２の側部２ａにおける開口部２ｂの中間部に位置し、この第１溝部２６ａに左手Ｈの親指Ｆ１を配置して第１回転操作部材１４を操作することにより、操作面２６が操作本体部２３と共に正方向（図９では時計回り方向）と逆方向（図９は反時計回り方向）とのいずれかの方向に、第１ばね部材１５のばね力に抗して回転するように構成されている。
【００３９】
なお、第１ロータリースイッチ１３は、図６（ａ）に示すように、接続ケーブル２７によって楽器本体１内に設けられた回路基板（図示せず）と電気的に接続されている。この場合、接続ケーブル２７は、その一端部がスイッチ本体２０に接続された状態で第１取付部材２２に固定具２７ａによって固定され、この状態で他端部側が楽器ケース１内を引き回されて回路基板に接続されるように構成されている。
【００４０】
ところで、第２回転操作体１２は、図４および図１０に示すように、第２ロータリースイッチ１６、第２回転操作部材１７、および第２ばね部材（図示せず）を備え、これらが上部ケースの上面と平行な横方向（水平方向）に回転する構成であり、これ以外は、第１回転操作体１１の第１ロータリースイッチ１３、第１回転操作部材１４、および第１ばね部材１５とほぼ同じ構成になっている。
【００４１】
すなわち、第２ロータリースイッチ１６は、第１ロータリースイッチ１３と同じ構成で、スイッチ本体２０がスイッチ軸２１の回転動作の変化を電気的に検出し、その検出信号を出力するように構成されている。この第２ロータリースイッチ１６は、図１０（ａ）および図１０（ｂ）に示すように、スイッチ本体２０が第２取付部材３２に取り付けられ、この第２取付部材３２によって上部ケース２の左側に位置する側部２ａ内の下部ケース３上に取り付けられるように構成されている。
【００４２】
また、この第２ロータリースイッチ１６は、そのスイッチ軸２１に第２回転操作部材１７が取り付けられるように構成されている。これにより、第２回転操作部材１７は、図１０（ａ）および図１０（ｂ）に示すように、第２ロータリースイッチ１６と共に第２取付部材３２によって上部ケース２に対して取り付けられ、この状態で第１ロータリースイッチ１３のスイッチ軸２１を中心にスイッチ軸２１と共に回転するように構成されている。
【００４３】
この場合、第２取付部材３２は、図４および図５に示すように、第２ロータリースイッチ１６を上部ケース２の左側に位置する側部２ａ内の下部ケース３上に取り付けるためのものである。この第２取付部材３２は、図１０（ａ）および図１０（ｂ）に示すように、第２ロータリースイッチ１６のスイッチ本体２０が取り付けられるスイッチ取付部３２ａと、このスイッチ取付部３２ａから下側に延出された延出部３２ｂと、楽器本体１の下部ケース３に取り付けられる取付片３２ｃとを備え、これらが金属板によって一体に形成されている。
【００４４】
この第２取付部材３２は、図５に示すように、第１取付部材２２が取り付けられる下部ケース３の同一平面上に前後方向に位置をずらして取り付けられるように構成されている。この場合、第１取付部材２２の取付片２２ｃには、第１回転操作部材１４と第２回転操作部材１７との間隔を調整するための長孔である調整孔３３が形成されている。第２取付部材３２の取付片３２ｃには、ビス（図示せず）が挿入する取付孔３４が設けられている。
【００４５】
これにより、第１、第２の各取付部材２２、３２は、図５に示すように、第１取付部材２２の一方（図５では上部側）の取付片２２ｃと第２取付部材３２の一方（図５では下部側）の取付片３２ｃとが重なり、この状態で各取付片２２ｃ、３２ｃに設けられた調整孔３３と取付孔３４とを対応させて、この調整孔３３と取付孔３４とにビスを挿入させることにより、各取付片２２ｃ、３２ｃが下部ケース３上に取り付けられるように構成されている。
【００４６】
また、この第１、第２の各取付部材２２、３２は、図１１に示すように、第１取付部材２２の各取付片２２ｃの各調整孔３３に挿入されたビスを緩め、この状態で第１取付部材２２を調整孔３３によってスライド移動させると、下部ケース３に対する第１取付部材２２の取付位置が変更され、これにより第１回転操作部材１４と第２回転操作部材１７との間隔を変更するように構成されている。
【００４７】
一方、第２取付部材３２におけるスイッチ取付部３２ａの中間部には、第２ロータリースイッチ１６のスイッチ軸２１が挿入する軸挿入孔（図示せず）が設けられている。また、延出部３２ｂの下端部には、図１０（ａ）および図１０（ｂ）に示すように、第２回転操作部材１７側、つまり上部ケースの上面に向けて突出したばね固定部３２ｄが設けられている。
【００４８】
また、第２回転操作部材１７は、図４に示すように、第１回転操作部材１４とほぼ同じ構成であり、第１回転操作部材１４の操作本体部２３を水平方向に回転可能に配置した構成になっている。第２ばね部材は、図示しないが、第１ばね部材１５と同じ構成であり、第１ばね部材１５およびその両端部１５ａ、１５ｂを水平方向に向けて配置した構成になっている。
【００４９】
この場合、上部ケース２の左側に位置する側部２ａには、図１および図２に示すように、切欠き部２８が側部２ａの上面および側面に開放された状態で設けられている。この切欠き部２８の立上り面には、図２に示すように、第２回転操作部材１７の操作本体部２３の左側に位置する側部の一部が挿入する長方形の開口部２８ａが設けられている。これにより、第２回転操作部材１７の操作本体部は、その左側に位置する側部の一部が開口部２８ａから切欠き部２８内に突出して上部ケース２の外部に露出する構成されている。
【００５０】
また、第２回転操作部材１７の操作本体部の外周部は、第１回転操作体１１の操作本体部２３と同様、外周壁部に形成されている。この外周壁部は、第２回転操作部材１７の操作本体の外周部から軸方向における円筒部と同じ方向に向けて突出した状態で設けられている。この外周壁部の外周面には、第１回転操作体１１の操作面２６と同様、操作面２９が形成されている。
【００５１】
この操作面２９は、図２に示すように、第２回転操作部材１７の軸方向における突出長さが、円筒部とほぼ同じ長さで形成されている。また、この操作面２９である外周面の最外側部には、図２および図３に示すように、第２回転操作部材１７を親指Ｆ１以外の他の指Ｆ２（例えば人差し指）の指先で回転操作する際に、その指先を位置規制するための第２溝部２９ａが、下側から上側に向けって次第に深くなるように傾斜して形成されている。
【００５２】
さらに、上部ケース２の左側に位置する側部２ａには、図１および図２に示すように、左手Ｈの一部、例えば左手Ｈの掌の一部を位置規制して配置するための位置規制凹部３０が設けられている。この位置規制凹部３０は、上部ケース２の側部２ａにおける上部縁部に、その下部側から上面側に亘って円弧状に湾曲した凹溝状に形成されている。これにより、位置規制凹部３０は、左手Ｈの一部が配置されると、自然に親指Ｆ１が第１回転操作体１１に対応すると共に、他の指Ｆ２が第２回転操作体１２に対応するように構成されている。
【００５３】
また、上部ケース２における左側の一側部２ａに設けられた切欠き部２８には、図２に示すように、切欠き部２８内から突出した第２回転操作部材１７の操作面２９に沿って操作位置を表すための目盛部３１が設けられている。この目盛部３１は、複数の凹部であり、切欠き部２８の底部における第２回転操作部材１７の操作面２９の外周側に位置する箇所に、所定間隔で第２回転操作部材１７の操作面２９に沿って設けられている。
【００５４】
次に、このような回転式のスイッチ装置１０を楽器本体１に組み付ける場合について説明する。この場合には、まず、第１回転操作体１１から説明する。
この第１回転操作体１１の第１回転操作部材１４に第１ばね部材１５を取り付ける。このときには、回転操作部材１１の回転中心に設けられた円筒部２４を第１ばね部材１５の捻り部分に相対的に挿入させると共に、この第１ばね部材１５の両端部１５ａ、１５ｂを第１回転操作部材１４のばね操作部２５の両側に配置させる。
【００５５】
この状態で、第１回転操作部材１４を第１ロータリースイッチ１３に取り付ける。このときには、予め、第１ロータリースイッチ１３のスイッチ軸２１を第１取付部材２２の軸挿入孔２２ｃに挿入させ、この状態で第１ロータリースイッチ１３のスイッチ本体２０を第１取付部材２２に取り付ける。また、このときには、接続ケーブル２７の一端部をスイッチ本体２０に接続して第１取付部材２２に固定具２７ａによって固定する。
【００５６】
そして、スイッチ本体２０に回転可能に取り付けられたスイッチ軸２１を第１回転操作部材１４の回転中心に設けられた円筒部２４内に挿入させる。このときには、円筒部２４内に設けられたキー部２４ｃにスイッチ軸２１の切欠き部２１ａを対応させた状態で、円筒部２４内にスイッチ軸２１を挿入する。
【００５７】
これにより、第１回転操作部材１４は、その回転に伴って第１ロータリースイッチ１３のスイッチ軸２１が回転するようにスイッチ軸２１に取り付けられる。また、円筒部２４内にスイッチ軸２１を挿入する際には、第１取付部材２２の延出部２２ｂに設けられたばね固定部２２ｄを第１ばね部材１５の両端部１５ａ、１５ｂ間に挿入して配置する。
【００５８】
この第１回転操作体１１と同様に、第２回転操作体１２を楽器本体１に組み付ける。この場合には、第１回転操作体１１と同様、第２回転操作部材１７に第２ばね部材（図示せず）を取り付けると共に、この第２回転操作部材１７を第２ロータリースイッチ１６に取り付ける。この状態で、第１回転操作体１１の場合と同様、第２ロータリースイッチ１６のスイッチ本体２１を第２取付部材３２に取り付けると共に、接続ケーブルの一端部をスイッチ本体２１に接続して第２取付部材３２に固定具によって固定する。
【００５９】
この後、第１取付部材２２を楽器本体１の上部ケース２における左側の側部２ａ内の下部ケース３上に縦向き状態（垂直状態）に配置すると共に、第２取付部材３２を楽器本体１の上部ケース２における左側の側部２ａ内の下部ケース３上に上部ケース２の上面と平行な横向き状態（水平状態）に配置する。
【００６０】
このときには、第１回転操作部材１４の上部側を上部ケース２の側部２ａに設けられた開口部２ｂ内に上部ケース２の側部２ａの内部から挿入させて側部２ａの上面側に突出させる。また、第２回転操作部材１７の外周部を上部ケース２の側部２ａに設けられた切欠き部２８の開口部２８ａ内に上部ケース２の側部２ａの内部から挿入させて切欠き部２８内に突出させる。
【００６１】
この状態で、図５に示すように、第１、第２の各取付部材２２、３２が互いに接近する第１取付部材２２の一方の取付片２２ｃと第２取付部材３２の一方の取付片３２ｃとを重ね合わせて、各取付片２２ｃ、３２ｃに設けられた調整孔３３と取付孔３４とを対応させる。この状態で調整孔３３と取付孔３４とにビスを挿入させて締め付ける。これにより第１、第２の各取付部材２２、３２の各取付片２２ｃ、３２ｃが下部ケース３上における同一平面上に取り付けられる。
【００６２】
この場合、第１、第２の各取付部材２２、３２の各取付位置を調整する場合には、第１取付部材２２の各取付片２２ｃの各調整孔３３に挿入されたビスを緩め、この状態で、図１１に示すように、第１取付部材２２を調整孔３３に沿って第２取付部材３２に対して接近または離間する方向にスライド移動させる。これにより、下部ケース３に対する第１取付部材２２の取付位置が変更され、これにより第１回転操作部材１４と第２回転操作部材１７との間隔が変更される。
【００６３】
そして、第１、第２の各ロータリースイッチ１３、１６に一端部が接続されて固定された各接続ケーブル２７の他端部を楽器本体１内に設けられた回路基板（図示せず）と電気的に接続する。これにより、第１、第２の各回転操作体１１、１２が楽器本体１内に組み付けられる。
【００６４】
次に、このような電子鍵盤楽器で演奏をする場合について説明する。
この電子鍵盤楽器で演奏する際には、楽器本体１の上部ケース２から上方に露出した鍵盤部４における複数の鍵５を押鍵操作する。すると、スピーカ部６から演奏に応じた楽音が放音される。このような演奏中に回転式のスイッチ装置１０における第１、第２の各回転操作体１１、１２をそれぞれ回転操作すると、その第１、第２の各回転操作部材１１、１２の回転操作に応じて、放音される楽音に効果が付与される。
【００６５】
すなわち、演奏者の左手Ｈの一部を上部ケース２の左側に位置する側部２ａの上側縁部に設けられた位置規制凹部３０に配置すると、この位置規制凹部３０によって左手Ｈが上部ケース２の側部２ａに対して位置規制される。これにより、左手Ｈの親指Ｆ１が上部ケース２の側部２ａから上方に突出した部分の第１回転操作体１１に対応すると共に、左手Ｈの親指Ｆ１以外の他の指Ｆ２（例えば人差し指）が上部ケース２の側部２ａの切欠き部２８内に突出した部分の第２回転操作体１２に対応する。
【００６６】
この状態で、親指Ｆ１で第１回転操作体１１の第１回転操作部材１４を回転させると、この第１回転操作部材１４の回転に応じて、楽音に音のピッチ（高低）を変化させるピッチベッド効果を付加させることができる。また、親指Ｆ１以外の他の指Ｆ２で第２回転操作体１２の第２回転操作部材１７を回転させると、この第２回転操作部材１７の回転に応じて、楽音にビブラートなどの音を振動させるモジュレーション効果を付加させることができる。
【００６７】
この場合、左手Ｈを上部ケース２の左側に位置する側部２ａの上側縁部に配置する際には、上部ケース２の側部２ａにおける上側縁部に設けられた位置規制凹部３０に左手Ｈの一部を配置することにより、左手Ｈを上部ケース２の側部２ａにおける所定位置に正確に且つ確実に位置規制することができる。これにより、左手Ｈの親指Ｆ１を第１回転操作体１１の操作面２６に対応させて位置規制することができると共に、左手Ｈの親指Ｆ１以外の他の指Ｆ２を第２回転操作体１２の操作面２９に対応させて位置規制することができる。
【００６８】
この状態で、第１、第２の各回転操作体１１、１２を左手Ｈの各指Ｆ１、Ｆ２によってそれぞれ個別に回転させることができる。例えば、第１回転操作体１１の第１回転操作部材１４を左手Ｈの親指Ｆ１で正回転（時計回り方向）回転させると、これに伴ってばね操作部２５が第１ばね部材１５のばね力に抗して同じ方向に回転移動する。
【００６９】
このときには、図９に示すように、第１ばね部材１５の一方の端部１５ｂが第１取付部材２２のばね固定部２２ｄに当接して保持され、この状態で第１ばね部材１５の他方の端部１５ａがばね操作部２５によって押し広げられる。このため、第１回転操作部材１４を回転操作させる際に、親指Ｆ１の指先に第１ばね部材１５のばね力が負荷として付与される。
【００７０】
この後、第１回転操作部材１４の操作面２６から親指Ｆ１の指先を離すと、第１回転操作部材１４のばね操作部２５が第１ばね部材１５の他方の端部１５ａによって反時計回り方向に押し戻されるので、図８に示すように、第１回転操作部材１４が第１ばね部材１５のばね力によって中立状態（ニュートラル位置）に戻る。
【００７１】
また、この第１回転操作部材１４を逆方向（反時計回り方向）に回転させると、第１ばね部材１５の一方の端部１５ａが第１取付部材２２のばね固定部２２ｄに当接して保持され、この状態で第１ばね部材１５の他方の端部１５ｂがばね操作部２５によって押し広げられる。このため、第１回転操作部材１４を回転操作させる際に、親指Ｆ１の指先に第１ばね部材１５のばね力が負荷として付与される。このときにも、第１回転操作部材１４の操作面２６から親指Ｆ１の指先を離すと、第１回転操作部材１４が第１ばね部材１５のばね力によって中立状態（ニュートラル位置）に戻る。
【００７２】
同様に、第２回転操作体１２の第２回転操作部材１７を左手Ｈの親指Ｆ１以外の他の指Ｆ２、例えば人差し指で正回転（時計回り方向）回転させると、これに伴ってばね操作部が第２ばね部材のばね力に抗して同じ方向に回転移動する。このときにも、第１回転操作体１１と同様、第２ばね部材の一方の端部（第１ばね部材１５の端部１５ａに相当する）が取付部材のばね固定部に当接して保持され、この状態で第２ばね部材の他方の端部（第１ばね部材１５の端部１５ｂに相当する）がばね操作部によって押し広げられる。
【００７３】
このため、第２回転操作部材１７を回転操作させる際に、親指Ｆ１以外の他の指Ｆ２の指先に第２ばね部材のばね力が負荷として付与される。この後、第２回転操作部材１７の操作面２９から親指Ｆ１以外の他の指Ｆ２の指先を離すと、第２回転操作部材１７のばね操作部が第２ばね部材の他方の端部によって反時計回り方向に押し戻されるので、図８に示したように、第２回転操作部材１７が第２ばね部材のばね力によって中立状態（ニュートラル位置）に戻る。
【００７４】
また、この第２回転操作部材１４を逆方向（反時計回り方向）に回転させる際にも、第１回転操作体１１と同様、第２ばね部材の一方の端部が取付部材のばね固定部に当接して保持され、この状態で第２ばね部材の他方の端部がばね操作部によって押し広げられる。このため、第２回転操作部材１７を回転操作させる際に、親指Ｆ１以外の他の指Ｆ２の指先に第２ばね部材のばね力が負荷として付与される。そして、第２回転操作部材１７の操作面２９から親指Ｆ１以外の他の指Ｆ２の指先を離すと、第２回転操作部材１７が第２ばね部材のばね力によって中立状態（ニュートラル位置）に戻る。
【００７５】
このように、この鍵盤楽器におけるスイッチ装置１０によれば、回転操作可能な第１回転操作体１１を、楽器本体１の一側部２ａであってその一部が楽器本体１の上面から突出するように配置するとともに、回転操作可能な第２回転操作体１２を、第１回転操作体１１の後方であってその一部が一側部２ａの側面側に露出するように配置し、かつ第２回転操作体１２は、第１回転操作体１１の突出部分を左手Ｈの親指Ｆ１により上下方向に回転操作した際に、第２回転操作体１２の露出した部分を親指Ｆ１以外の他の指Ｆ２によって水平方向に回転操作することが可能な位置に配置されていることにより、片手で２つのスイッチ操作を同時に行うことができる。
【００７６】
すなわち、このスイッチ装置１０では、第１回転操作体１１と第２回転操作体１２とを楽器本体１における上部ケース２の一側部２ａに人間工学に基づいて配置することができるので、楽器本体１の上部ケース２の左側に位置する一側部２ａに左手Ｈを当てると、その左手Ｈの親指Ｆ１を楽器本体１の上部ケース２における一側部２ａの上面から突出した部分の第１回転操作体１１に対応させることができると共に、親指Ｆ１以外の他の指Ｆ２を楽器本体１の上部ケース２における一側部２ａの側面側に露出した部分の第２回転操作体１２に対応させることができる。
【００７７】
このため、左手Ｈのみの片手で第１、第２の各回転操作体１１、１２をそれぞれ個別に回転操作することができるので、片手で２つのスイッチ操作を同時に行うことができる。このときには、第１回転操作体１１の回転操作によって楽音に音高を変化させるピッチベンド効果を付与することができると共に、第２回転操作体１２の回転操作によって楽音にビブラートなどの音を振動させるモジュレーション効果を付与することができる。
【００７８】
この場合、第１回転操作体１１は、楽器本体１に対して上下方向に回転可能に取り付けられた回転式の第１スイッチ部１３と、この第１スイッチ部１３を上下方向（縦方向）の回転操作に応じてスイッチ動作させる第１回転操作部材１４と、この第１回転操作部材１４が回転する際に第１回転操作部材１４に負荷を付与する第１ばね部材１５とを備えているので、第１回転操作部材１４を左手Ｈの親指Ｆ１で回転させる際に、その親指Ｆ１に第１ばね部材１５のばね力によって負荷を付与することができ、これにより第１回転操作部材１４を良好に回転させて、楽音にピッチベンドなどの効果を付与することができる。
【００７９】
また、第２回転操作体１２は、楽器本体１に対して水平方向に回転可能に取り付けられた回転式の第２スイッチ部１６と、この第２スイッチ部１６を水平方向（横方向）の回転操作に応じてスイッチ動作させる第２回転操作部材１７と、この第２回転操作部材１７が回転する際に第２回転操作部材１７に負荷を付与する第２ばね部材（図示せず）とを備えているので、第２回転操作部材１７を左手Ｈの親指Ｆ１以外の他の指Ｆ２で回転させる際に、その親指Ｆ１以外の他の指Ｆ２に第２ばね部材のばね力によって負荷を付与することができ、これにより第２回転操作部材１７を良好に回転させて、楽音にビブラートなどのモジュレーション効果を付与することができる。
【００８０】
また、このスイッチ装置１０では、第１回転操作体１１を楽器本体１に対して取り付けるための第１取付片２２ｃを有する第１取付部材２２と、第２回転操作体１２を楽器本体１に対して取り付けるための第２取付片３２ｃを有する第２取付部材３２とを備えているので、楽器本体１の上下方向に回転操作される第１回転操作体１１を第１取付部材２２によって楽器本体１に確実に且つ良好に取り付けることができると共に、楽器本体１の水平方向に回転操作される第２回転操作体１２を第２取付部材３２によって楽器本体１に確実に且つ良好に取り付けることができる。
【００８１】
この場合、第１取付部材２２の第１取付片２２ｃと第２取付部材３２の第２取付片３２ｃとは、楽器本体１の同一平面上に取り付けられている構成であるから、第１回転操作体１１が上下方向に回転する構成であっても、また第２回転操作体１２が第１回転操作体１１と直交する水平方向に回転する構成であっても、第１取付部材２２と第２取付部材３２とによって第１、第２の各回転操作体１１、１２を楽器本体１に対して確実に且つ良好に取り付けることができる。
【００８２】
また、このスイッチ装置１０では、第１取付片２２ｃと第２取付片３２ｃとのうち、少なくとも第１取付片２２ｃに、第１回転操作体１１と第２回転操作体１２との間隔を調整するための調整孔３３が設けられていることにより、第１取付部材２２を調整孔３３に沿って第２取付部材３２に対して接近する方向または離間する方向にスライド移動させることができる。これにより、楽器本体１に対する第１取付部材２２の取付位置を変更することができるので、第１回転操作部材１４と第２回転操作部材１７との間隔を容易に且つ良好に調整することができる。このため、手の大きい大人が操作する場合と、手の小さい子供が操作する場合でも、第１回転操作部材１４と第２回転操作部材１７との間隔を最適に調整することができる。
【００８３】
さらに、このスイッチ装置１０では、第１回転操作部材１４の操作面２６に、親指Ｆ１が配置する第１溝部２６ａが、親指Ｆ１の付け根側に向けて次第に深くなるように傾斜して形成されているので、第１回転操作部材１４を回転操作する際に、親指Ｆ１を操作面２６の第１溝部２６ａに配置させることができ、これにより第１回転操作部材１４を親指Ｆ１によって確実に且つ良好に回転操作することができる。
【００８４】
同様に、第２回転操作部材１７の操作面２９にも、親指Ｆ１以外の他の指Ｆ２が配置する第２溝部２９ａが、下側から上側に向けって次第に深くなるように傾斜して形成されているので、第２回転操作部材１７を回転操作する際に、親指Ｆ１以外の他の指Ｆ２を操作面２９の第２溝部２９ａに配置させることができ、これによっても第２回転操作部材１７を親指Ｆ１以外の他の指Ｆ２によって確実に且つ良好に回転操作することができる。
【００８５】
また、このスイッチ装置１０では、楽器本体１の上部ケース２の一側部２ａ、例えば上部ケース２の左側に位置する上側縁部に、左手Ｈの一部を位置規制して配置する位置規制凹部３０が設けられていることにより、左手Ｈを上部ケース２の側部２ａの上側縁部に配置する際に、左手Ｈの一部を上部ケース２の側部２ａにおける上側縁部の位置規制凹部３０に配置することができる。これにより、左手Ｈの親指Ｆ１を第１回転操作体１１に確実に対応させて位置規制することができると共に、左手Ｈの親指Ｆ１以外の他の指Ｆ２を第２回転操作体１２に確実に対応させて位置規制することができる。
【００８６】
さらに、このスイッチ装置１０では、第２回転操作部材１７の操作面２９の一部が楽器本体１の上部ケース２における一側部２ａに設けられた切欠き部２８内に突出し、この状態で第２回転操作部材１７が上部ケース２の上面と平行な横方向（水平方向）に回転可能に配置されているので、上部ケース２の一側部２ａにおける切欠き部２８を通して、左手Ｈの親指Ｆ１以外の他の指Ｆ２を第２回転操作体１２に確実に且つ良好に対応させることができ、この状態で第２回転操作体１２を親指Ｆ１以外の他の指Ｆ２によって確実に且つ良好に回転操作することができる。
【００８７】
この場合、楽器本体１の上部ケース２における左側の一側部２ａに設けられた切欠き部２８には、この切欠き部２８内から突出した第２回転操作部材１７の操作面２９に沿って操作位置を表すための目盛部３１が凹部形状に設けられていることにより、左手Ｈの親指Ｆ１以外の他の指Ｆ２で第２回転操作部材１７を回転操作する際に、その指Ｆ２の指先が凹部形状の目盛部３１に触れることにより、演奏者が目盛部３１を見なくても、指先の感触で第２回転操作部材１７の回転量を確認することができ、これにより第２回転操作部材１７を微妙に回転させて楽音にビブラートなどのモジュレーション効果を正確に且つ良好に付加することができる。
【００８８】
なお、上述した実施形態では、第２回転操作体１２の第２回転操作部材１７の外周部の一部が上部ケース２の側部２ａに設けられた切欠き部２８内に突出し、この突出した部分のみが上部ケース２の外部に露出するように構成した場合について述べたが、これに限らず、例えば図１２に示す変形例のように構成しても良い。
【００８９】
すなわち、この変形例では、第２回転操作部材１７の外周部の一部を上部ケース２の側部２ａに設けられた切欠き部２８内に突出させると共に、第２回転操作部材１７の上面全体を上部ケース２の側部２ａの上面側に露出させている。この場合、第２回転操作部材１７の外周部における操作面２９の一部には、左手Ｈの親指Ｆ１以外の他の指Ｆ２、例えば人差し指が配置する第１溝部２９ａを設けると共に、第２回転操作部材１７の上面には、第１溝部２９ａから第２回転操作部材１７の回転中心に連続する第２溝部２９ｂを設けるように構成すれば良い。
【００９０】
このように構成すれば、上述した実施形態よりも、第２回転操作部材１７が上部ケース２から露出する面積が増えるので、左手Ｈの親指Ｆ１以外の他の指Ｆ２を第２回転操作部材１７に接触させ易くすることができ、これにより、より一層、操作性を向上させることができるほか、第２回転操作部材１７の上面には、第２溝部２９ｂが第１溝部２９ａから第２回転操作部材１７の回転中心に亘って連続して設けられているので、これによっても第２回転操作部材１７の操作性を向上させることができる。
【００９１】
また、上述した実施形態では、上部ケース２における左側の一側部２ａに設けられた切欠き部２８の底面に、第２回転操作部材１７の回転位置を表すための目盛部３１を凹部形状に設けた場合について述べたが、これに限らず、例えば上部ケース２における左側の一側部２ａに設けられた切欠き部２８の底面に、第２回転操作部材１７の回転位置を表すための目盛部を突起形状に設けて良い。
【００９２】
また、上述した実施形態では、第１取付部材２２の第１取付片２２ｃに長孔である調整孔３３を設けた場合について述べたが、これに限らず、例えば第２取付部材３２の第２取付片３２ｃに長孔である調整孔を設けても良く、また、第１、第２の各取付部材２２、３２の第１、第２の各取付片２２ｃ、３２ｃに長孔である調整孔をそれぞれ設けた構成あっても良い。
【００９３】
さらに、上述した実施形態では、第１回転操作体１１によって楽音にピッチベンド効果を付与し、第２回転操作体１２によって楽音にモジュレーション効果を付与するように構成した場合について述べたが、これに限らず、例えば第１回転操作体１１によって楽音にモジュレーション効果を付与し、第２回転操作体１２によって楽音にピッチベンド効果を付与するように構成しても良い。
【００９４】
また、上述した実施形態では、上部ケース２の一側部２ａにおける上部縁部に左手Ｈの位置を規制するための位置規制部として、凹部形状に窪んだ位置規制凹部３０を設けた場合について述べたが、必ずしも位置規制部は凹部形状に窪んで形成する必要はなく、凸部形状に突出した位置規制凸部を設けた構成であっても良い。
【００９５】
また、上述した実施形態では、楽器本体１の上部ケース２における左側の側部２ａに第１、第２の各回転操作体１１、１２を設けた場合について述べたが、これに限らず、例えば上部ケース２における右側の他側部に第１、第２の各回転操作体１１、１２を設けた構成であっても良い。この場合には、上部ケース２の他側部に右手を配置すると、その右手の親指が第１回転操作体１１に対応し、右手の親指以外の他の指が第２回転操作体１２に対応するように構成すれば良い。
【００９６】
なおまた、上述した実施形態およびその各変形例では、鍵盤楽器に適用した場合について述べたが、必ずしも鍵盤楽器である必要はなく、例えば電気ギターなどの電子弦楽器、サックスホーンなどの電子管楽器など、各種の電子楽器に適用することができるほか、必ずしも電子楽器に限らず、音楽プレーヤやシンセサイザーなどの音響機器などにも広く適用することができる。
【００９７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００９８】
（付記）
請求項１に記載の発明は、回転操作可能な第１回転操作体を、機器ケースの一側部であってその一部が前記機器ケースの上面から突出するように配置するとともに、回転操作可能な第２回転操作体を、前記第１回転操作体の後方であってその一部が前記一側部の側面側に露出するように配置し、かつ前記第２回転操作体は、前記第１回転操作体の突出部分を片手の親指により上下方向に回転操作した際に、前記第２回転操作体の露出した部分を前記親指以外の他の指によって水平方向に回転操作することが可能な位置に配置されたことを特徴とするスイッチ装置である。
【００９９】
請求項２に記載の発明は、請求項１に記載のスイッチ装置において、前記第１回転操作体を前記機ケースに対して取り付けるための第１取付片を有する第１取付部材と、前記第２回転操作体を前記機ケースに対して取り付けるための第２取付片を有する第２取付部材とを備え、前記第１取付片と前記第２取付片とが前記機器ケースの同一平面上に取り付けられていることを特徴とするスイッチ装置である。
【０１００】
請求項３に記載の発明は、請求項２に記載のスイッチ装置において、前記第１取付片と前記第２取付片とのうち、少なくとも一方には前記第１回転操作体と前記第２回転操作体との間隔を調整するための調整孔が設けられていることを特徴とするスイッチ装置である。
【０１０１】
請求項４に記載の発明は、請求項１〜請求項３のいずれかに記載のスイッチ装置において、前記第１回転操作体は前記機器ケースの上面に対して上下方向に回転する第１回転操作部材を有し、この第１回転操作部材の操作面には、前記親指が配置する第１溝部が、前記親指の付け根側に向けて次第に深くなるように傾斜して形成されており、
前記第２回転操作体は前記機器ケースの上面と平行な水平方向に回転する第２回転操作部材を有し、この第２回転操作部材の操作面には、前記他の指が配置する第２溝部が、下側から上側に向けて次第に深くなるように傾斜して形成されていることを特徴とするスイッチ装置である。
【０１０２】
請求項５に記載の発明は、請求項１〜請求項４のいずれかに記載のスイッチ装置において、前記機器ケースの前記一側部における上側縁部には、前記片手の一部を位置規制して配置するための位置規制部が設けられていることを特徴とするスイッチ装置である。
【０１０３】
請求項６に記載の発明は、請求項１〜請求項５のいずれかに記載のスイッチ装置において、前記第２回転操作部材は、その前記操作面の一部が前記機器ケースの前記一側部に設けられた切欠き部内に突出して前記機器ケースの外部に露出した状態で、前記機器ケースの上面と平行な水平方向に回転可能に配置されていることを特徴とするスイッチ装置である。
【０１０４】
請求項７に記載の発明は、請求項６に記載のスイッチ装置において、前記機器ケースの前記一側部に設けられた前記切欠き部には、この切欠き部内から突出した前記第２回転操作部材の前記操作面に沿って操作位置を表す凹凸形状の目盛部が設けられていることを特徴とするスイッチ装置である。
【符号の説明】
【０１０５】
１  楽器本体
２  上部ケース
２ａ  側部
３  下部ケース
４  鍵盤部
５  鍵
１０  スイッチ装置
１１、１２  第１、第２の各回転操作体
１３、１６  第１、第２の各ロータリースイッチ
１４、１７  第１、第２の各回転操作部材
１５、１８  第１、第２の各ばね部材
２２、３２  第１、第２の各取付部材
２２ａ、３２ａ  スイッチ取付部
２２ｂ、３２ｂ  延出部
２２ｃ、３２ｃ  取付片
２３  操作本体部
２４  円筒部
２５  ばね操作部
２６、２９  操作面
２６ａ、２９ａ  第１溝部
２８  切欠き部
３０  位置規制凹部
３１  目盛部
３３  調整孔
Ｈ  左手
Ｆ１  親指
Ｆ２  親指以外の他の指
【図１】
0005428083.tif 000002
【図２】
0005428083.tif 000003
【図３】
0005428083.tif 000004
【図４】
0005428083.tif 000005
【図５】
0005428083.tif 000006
【図６】
0005428083.tif 000007
【図７】
0005428083.tif 000008
【図８】
0005428083.tif 000009
【図９】
0005428083.tif 000010
【図１０】
0005428083.tif 000011
【図１１】
0005428083.tif 000012
【図１２】
0005428083.tif 000013